(57)【要約】【課題】透明性が高い透過型スクリーンと、これを備える映像表示装置とを提供する。【解決手段】スクリーン１０は、透過型のスクリーンであって、映像光が入射する入光面１０ａと、これに対向し、映像光が出射する出光面１０ｂと、スクリーン１０の厚み方向において、入光面１０ａと出光面１０ｂとの間に位置し、所定の方向に沿って複数配列され、配列方向に交差する方向に帯状に延在し、入光面１０ａから入射した映像光の少なくとも一部を反射させて出光面１０ｂへ向ける反射層１３とを備え、この反射層１３は、その両面が周期的な凹凸を有する曲面である。【選択図】図５
2018132546.tif 000002
【特許請求の範囲】
【請求項１】
映像光の少なくとも一部を透過させて表示する透過型スクリーンであって、
映像光が入射する入光面と、
前記入光面に対向し、映像光が出射する出光面と、
該透過型スクリーンの厚み方向において、前記入光面と前記出光面との間に位置し、スクリーン面に沿って所定の方向に複数配列され、配列方向に交差する方向に帯状に延在し、前記入光面から入射した映像光の少なくとも一部を反射させて前記出光面へ向ける反射層と、
を備え、
前記反射層は、その両面が周期的な凹凸を有する曲面であること、
を特徴とする透過型スクリーン。
【請求項２】
請求項１に記載の透過型スクリーンにおいて、
前記凹凸は、前記反射層の映像光が入射する面内で交差する２方向において周期的に形成されること、
を特徴とする透過型スクリーン。
【請求項３】
請求項１又は請求項２に記載の透過型スクリーンにおいて、
該透過型スクリーンの厚み方向及び前記反射層の配列方向に平行な断面において、前記反射層の前記曲面の接線が、該透過型スクリーンのスクリーン面の法線方向となす角度は、０°以上３０°以下であること、
を特徴とする透過型スクリーン。
【請求項４】
請求項１から請求項３までのいずれか１項に記載の透過型スクリーンにおいて、
前記凹凸は、前記反射層の延在方向及び幅方向に沿って周期的に配列されること、
を特徴とする透過型スクリーン。
【請求項５】
請求項４に記載の透過型スクリーンにおいて、
前記凹凸は、前記反射層の延在方向における周期が、前記反射層の幅方向における周期よりも大きいこと、
を特徴とする透過型スクリーン。
【請求項６】
請求項１から請求項５までのいずれか１項に記載の透過型スクリーンにおいて、
レンズ面とこれに対向する非レンズ面とを有する単位レンズが複数配列されたフレネルレンズ形状を前記出光面側の面に有する光学形状層を備え、
前記反射層は、少なくとも前記非レンズ面の一部に形成され、前記単位レンズの延在方向に沿って延在していること、
を特徴とする透過型スクリーン。
【請求項７】
請求項１から請求項６までのいずれか１項に記載の透過型スクリーンにおいて、
入射した光の一部を吸収する光吸収層を備えること、
を特徴とする透過型スクリーン。
【請求項８】
請求項１から請求項７までのいずれか１項に記載の透過型スクリーンと、
前記透過型スクリーンに該透過型スクリーンの背面側から映像光を投射する映像源と、
を備える映像表示装置。
【発明の詳細な説明】
【技術分野】
【０００１】
本発明は、透過型スクリーンと、これを備える映像表示装置とに関するものである。
【背景技術】
【０００２】
従来、映像表示装置の１つとして、映像源から投射された映像光を透過させて映像を表示する透過型スクリーンや、これを備える背面投射型の映像表示装置が知られている。透過型スクリーン及び背面投射型の映像表示装置は、その映像のコントラストの向上や視野角の向上等、様々な開発がなされている。
従来の透過型スクリーンは、背後に位置する映像源が透けて見えること（シースルー現象）を防止したり、映像のコントラストを向上させたりするために、その透明性が非常に低く、スクリーンの向こう側の景色を視認できないものが一般的である。
【０００３】
近年、店舗のショーウィンドウ等に設置して映像を表示でき、かつ、映像光を投射していない場合等に、スクリーンの向こう側の景色が良好に視認される透明性の高いスクリーンへの要求が高まっている。そして、透過型スクリーンにおいても、そのような透明性を有するものの開発が行われている（例えば、特許文献１参照）。
【先行技術文献】
【特許文献】
【０００４】
【特許文献１】特許第４８４７３２９号公報
【発明の概要】
【発明が解決しようとする課題】
【０００５】
前述の特許文献１には、透明バインダーに透明バインダーとは屈折率の異なる微細な粒子を含む光拡散層を備えている透過型スクリーンが示されている。
しかし、このような光拡散層を備える透過型スクリーンでは、映像光も映像光以外の太陽光や照明光等のような外光も同様に拡散するため、外光の多い環境下、即ち、明るい環境下では、透過型スクリーン自体が白っぽく見えてしまい、透明性が損なわれるという問題があった。
【０００６】
本発明の課題は、透明性が高い透過型スクリーンと、これを備える映像表示装置とを提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
第１の発明は、映像光の少なくとも一部を透過させて表示する透過型スクリーンであって、映像光が入射する入光面（１０ａ）と、前記入光面に対向し、映像光が出射する出光面（１０ｂ）と、該透過型スクリーンの厚み方向において、前記入光面と前記出光面との間に位置し、スクリーン面に沿って所定の方向に複数配列され、配列方向に交差する方向に帯状に延在し、前記入光面から入射した映像光の少なくとも一部を反射させて前記出光面へ向ける反射層（１３，２３，３３）と、を備え、前記反射層は、その両面が周期的な凹凸を有する曲面であること、を特徴とする透過型スクリーン（１０，２０，３０）である。
第２の発明は、第１の発明の透過型スクリーンにおいて、前記凹凸は、前記反射層（１３，２３，３３）の映像光が入射する面内で交差する２方向において周期的に形成されること、を特徴とする透過型スクリーン（１０，２０，３０）である。
第３の発明は、第１の発明又は第２の発明の透過型スクリーンにおいて、該透過型スクリーンの厚み方向及び前記反射層（１３，２３，３３）の配列方向に平行な断面において、前記反射層の前記曲面の接線が、該透過型スクリーンのスクリーン面の法線方向となす角度（α）は、０°以上３０°以下であること、を特徴とする透過型スクリーン（１０，２０，３０）である。
第４の発明は、第１の発明から第３の発明までのいずれかの透過型スクリーンにおいて、前記凹凸は、前記反射層（１３，２３，３３）の延在方向及び幅方向に沿って周期的に配列されること、を特徴とする透過型スクリーン（１０，２０，３０）である。
第５の発明は、第４の発明の透過型スクリーンにおいて、前記凹凸は、前記反射層（１３，２３，３３）の延在方向における周期が、前記反射層の幅方向における周期よりも大きいこと、を特徴とする透過型スクリーン（１０，２０，３０）である。
第６の発明は、第１の発明から第５の発明までのいずれかの透過型スクリーンにおいて、レンズ面（１２１ａ，２２１ａ，３２１ａ）とこれに対向する非レンズ面（１２１ｂ，２２１ｂ，３２１ｂ）とを有する単位レンズ（１２１，２２１，３２１）が複数配列されたフレネルレンズ形状を前記出光面側の面に有する光学形状層（１２，２２，３２）を備え、前記反射層（１３，２３，３３）は、少なくとも前記非レンズ面の一部に形成され、前記単位レンズの延在方向に沿って延在していること、を特徴とする透過型スクリーン（１０，２０，３０）である。
第７の発明は、第１の発明から第６の発明までのいずれかの透過型スクリーンにおいて、入射した光の一部を吸収する光吸収層を備えること、を特徴とする透過型スクリーンである。
第８の発明は、第１の発明から第７の発明までのいずれかの透過型スクリーン（１０，２０，３０）と、前記透過型スクリーンに該透過型スクリーンの背面側から映像光を投射する映像源（ＬＳ）と、を備える映像表示装置（１）である。
【発明の効果】
【０００８】
本発明によれば、透明性が高い透過型スクリーンと、これを備える映像表示装置とを提供することができる。
【図面の簡単な説明】
【０００９】
【図１】第１実施形態の映像表示装置１を示す図である。
【図２】第１実施形態のスクリーン１０の層構成を示す図である。
【図３】第１実施形態の単位光学形状１２１及び反射層１３を説明する図である。
【図４】第１実施形態の反射層１３の曲面について説明する図である。
【図５】第１実施形態の反射層１３の曲面について説明する図である。
【図６】第１実施形態のスクリーン１０での映像光及び外光の様子を示す図である。
【図７】第２実施形態のスクリーン２０を説明する図である。
【図８】第３実施形態のスクリーン３０の層構成を示す図である。
【発明を実施するための形態】
【００１０】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
また、本明細書中に記載する各部材の寸法等の数値及び材料名等は、実施形態としての一例であり、これに限定されるものではなく、適宜選択して使用してよい。
【００１１】
本明細書中において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
本明細書中において、スクリーン面とは、スクリーン全体として見たときにおける、スクリーンの平面方向となる面を示すものであり、スクリーンの画面（表示面）に平行であるとする。
【００１２】
（第１実施形態）
図１は、第１実施形態の映像表示装置１を示す図である。図１では映像表示装置１を側面から見た様子を示している。
映像表示装置１は、スクリーン１０、映像源ＬＳ等を有しており、スクリーン１０の背面側（裏面側）に位置する映像源ＬＳから映像光を投射して透過させ、スクリーン１０の画面に映像を表示する背面投射型の表示装置である。
【００１３】
ここで、理解を容易にするために、図１を含め以下に示す各図において、適宜、ＸＹＺ直交座標系を設けて示している。この座標系では、スクリーン１０の画面左右方向（水平方向）をＸ方向、画面上下方向（鉛直方向）をＹ方向とし、スクリーン１０の厚み方向をＺ方向とする。スクリーン１０の画面は、ＸＹ面に平行であり、スクリーン１０の厚み方向（Ｚ方向）は、スクリーン１０の画面に直交する。
また、スクリーン１０の出光側（観察者側）の正面方向に位置する観察者Ｏ１から見て画面左右方向の右側に向かう方向を＋Ｘ方向、画面上下方向の上側に向かう方向を＋Ｙ方向、厚み方向において入光側（映像源側）から出光側（観察者側）に向かう方向を＋Ｚ方向とする。
さらに、以下の説明中において、画面上下方向、画面左右方向、厚み方向とは、特に断りが無い場合、このスクリーン１０の使用状態における画面上下方向（鉛直方向）、画面左右方向（水平方向）、厚み方向（奥行き方向）であり、それぞれ、Ｙ方向、Ｘ方向、Ｚ方向に平行であるとする。
【００１４】
映像源ＬＳは、映像光Ｌをスクリーン１０へ投影する映像投射装置であり、例えば、短焦点型のプロジェクタである。
この映像源ＬＳは、映像表示装置１の使用状態において、スクリーン１０の画面（表示領域）を映像源側（−Ｚ側）の正面方向（スクリーン面の法線方向）から見た場合に、スクリーン１０の画面左右方向の中央であって、スクリーン１０の画面よりも鉛直方向下方側（−Ｙ側）に位置している。
映像源ＬＳは、奥行き方向（Ｚ方向）において、スクリーン１０の表面からの距離が、従来の汎用プロジェクタに比べて大幅に近い位置から斜めに映像光Ｌを投影できる。したがって、従来の汎用プロジェクタに比べて、映像源ＬＳは、スクリーン１０までの映像光Ｌの投射距離が短く、投射された映像光Ｌがスクリーン１０に入射する入射角度が大きく、その変化量（入射角度の最小値から最大値までの変化量）も大きい。
【００１５】
スクリーン１０は、映像源ＬＳが投射した映像光Ｌを透過させて表示する透過型スクリーンである。このスクリーン１０は、映像光を投射しない不使用時等において、スクリーン１０の向こう側の景色を出光側（＋Ｚ側）からも入光側（−Ｚ側）からも観察できる透明性を有している。
スクリーン１０は、映像光Ｌが入射する入光面１０ａと、これに対向し、映像光Ｌが出射する出光面１０ｂを有している。入光面１０ａと出光面１０ｂとは、互いに平行であり、スクリーン面（ＸＹ面）に平行である。
スクリーン１０の画面（表示領域）は、使用状態において、出光側（＋Ｚ側）の観察者Ｏ１側から見て長辺方向が画面左右方向となる略矩形状である。
スクリーン１０は、その画面サイズが対角４０〜１００インチ程度であり、画面の横縦比が１６：９である。なお、これに限らず、スクリーン１０の画面サイズは、例えば、４０インチ以下としてもよく、使用目的や使用環境等に応じて、スクリーン１０の画面の大きさや形状を適宜選択できるものとする。
【００１６】
一般的に、スクリーン１０は、樹脂製の薄い層の積層体等であり、それ単独では平面性を維持するだけの十分な剛性を有していない場合が多い。そのため、スクリーン１０は、その出光側や入光側に光透過性を有する不図示の接合層を介して不図示の支持板に一体に接合（あるいは部分固定）され、画面の平面性を維持することが好ましい。
支持板は、光透過性を有し、剛性が高い平板状の部材である。支持板としては、アクリル樹脂やＰＣ樹脂等の樹脂製、ガラス製等の板状の部材が好適である。
本実施形態の映像表示装置１は、例えば、店舗等のショーウィンドウに適用される。したがって、上述のような支持板としては、店舗等のショーウィンドウを構成する窓ガラス（ガラス板）等が好適である。
また、これに限らず、スクリーン１０は、不図示の枠部材等によってその四辺等が支持され、その平面性を維持する形態としてもよい。
【００１７】
図２は、第１実施形態のスクリーン１０の層構成を示す図である。図２では、スクリーン１０の出光側（観察者側、＋Ｚ側）の画面中央（画面の幾何学的中心）となる点Ａ（図１参照）を通り、画面上下方向（Ｙ方向）に平行であって、スクリーン面に垂直（厚み方向であるＺ方向に平行）な断面の一部を拡大して示している。
スクリーン１０は、図２に示すように、その入光側（−Ｚ側、映像源側）から順に、基材層１１、第１光学形状層１２、反射層１３、第２光学形状層１４、保護層１５を備えている。
【００１８】
基材層１１は、光透過性を有するシート状の部材である。基材層１１は、その出光側（観察者側，＋Ｚ側）に、第１光学形状層１２が一体に形成されている。この基材層１１は、第１光学形状層１２を形成する基材（ベース）となる層である。
基材層１１は、例えば、高い光透過性を有するＰＥＴ（ポリエチレンテレフタレート）等のポリエステル樹脂、アクリル樹脂、スチレン樹脂、アクリルスチレン樹脂、ＰＣ（ポリカーボネート）樹脂、脂環式ポリオレフィン樹脂、ＴＡＣ（トリアセチルセルロース）樹脂等により形成される。
【００１９】
図３は、第１実施形態の単位光学形状１２１及び反射層１３を説明する図である。図３では、前述の図２に示すスクリーン１０の断面図をさらに拡大し、理解を容易にするために基材層１１及び保護層１５を省略して示している。
第１光学形状層１２は、基材層１１の出光側（＋Ｚ側）に形成された光透過性を有する層である。第１光学形状層１２の出光側の面には、単位光学形状（単位レンズ）１２１が複数配列されて形成されたリニアフレネルレンズ形状を有している。
【００２０】
単位光学形状１２１は、略三角柱形状であり、画面左右方向を長手方向とし、画面上下方向に複数配列されている。この単位光学形状１２１は、図２及び図３に示すように、スクリーン面に直交する方向（Ｚ方向）に平行であって、単位光学形状１２１の配列方向（Ｙ方向）に平行な断面における断面形状が、出光側（＋Ｚ側）に凸となる略三角形形状である。
単位光学形状１２１は、映像光が入射する第１の面（レンズ面）１２１ａと、これに対向する第２の面（非レンズ面）１２１ｂとを有している。１つの単位光学形状１２１において、第２の面１２１ｂは、頂点ｔを挟んで第１の面１２１ａの下側に位置している。
また、図２及び図３に示すスクリーン１０の断面において、隣り合う単位光学形状１２１間の谷底となる点をそれぞれ点ｖ１、点ｖ２とする。点ｖ１は、１つの単位光学形状１２１において、頂点ｔよりも上側に位置し、第１の面１２１ａの入光側端となる点である。点ｖ２は、１つの単位光学形状１２１において、頂点ｔよりも下側に位置し、第２の面１２１ｂの入光側端となる点である。
【００２１】
本実施形態では、第１の面１２１ａは、平面であり、第２の面１２１ｂは、周期的ななめらかな凹凸を有する曲面である。また、本実施形態では、第２の面１２１ｂの出光側に反射層１３が形成されている。
第１の面１２１ａがスクリーン面に平行な面となす角度、即ち、頂点ｔと点ｖ１とを通りＹＺ面に垂直な平面がスクリーン面に平行な面となす角度は、θ１である。
また、第２の面１２１ｂがスクリーン面に平行な面となす角度、即ち、点ｔと点ｖ２を通りＹＺ平面に垂直な平面Ｈ（図２及び図３において破線で図示）がスクリーン面に平行な面となす角度は、θ２である。
この角度θ１，θ２は、θ２＞θ１という関係を満たしている。
【００２２】
単位光学形状１２１の配列ピッチは、Ｐであり、単位光学形状１２１の高さ（厚み方向における頂点ｔから谷底となる点ｖ２までの寸法）は、ｈである。
理解を容易にするために、図２及び図３では、単位光学形状１２１の配列ピッチＰ、角度θ１，θ２は、単位光学形状１２１の配列方向において一定である例を示している。しかし、本実施形態の単位光学形状１２１は、実際には、配列ピッチＰは一定であるが、単位光学形状２２１の配列方向において画面上下方向の上側へ向かうにつれて（映像源ＬＳから離れるにつれて）、角度θ２は次第に小さくなっている。
【００２３】
角度θ１，θ２、配列ピッチＰ等は、映像源ＬＳからの映像光の投射角度（スクリーン１０への映像光の入射角度）や、映像源ＬＳの画素（ピクセル）の大きさ、スクリーン１０の画面サイズ、各層の屈折率等に応じて、適宜設定してよい。例えば、単位光学形状１２１の配列方向に沿って、配列ピッチＰが変化する形態としてもよい。
【００２４】
第１光学形状層１２は、光透過性の高いウレタンアクリレート系、ポリエステルアクリレート系、エポキシアクリレート系、ポリエーテルアクリレート系、ポリチオール系、ブタジエンアクリレート系等の紫外線硬化型樹脂により形成されている。
なお、本実施形態では、第１光学形状層１２を形成する樹脂として、紫外線硬化型樹脂を例に挙げて説明するが、これに限らず、例えば、電子線硬化型樹脂等の他の電離放射線硬化型樹脂により形成してもよい。
【００２５】
反射層１３は、入射した光の一部を反射し、入射したその他の光の少なくとも一部を透過する半透過型の反射層であり、所謂、ハーフミラーである。本実施形態の反射層１３は、単位光学形状１２１の第２の面１２１ｂ上（第２の面１２１ｂの出光側）に形成されている。
前述のように、第２の面１２１ｂは、周期性を有するなめらかな凹凸を有する曲面であり、反射層１３は、この曲面に追従して形成され、曲面の凹凸を維持した状態で成膜されている。そのため、反射層１３の第１光学形状層１２側（入光側）の面及び第２光学形状層１４側（出光側）の面は、周期性を有するなめらかな凹凸を有する曲面となっている。
反射層１３は、入射した光の一部をこの曲面の凹凸により拡散して反射し、入射したその他の光を拡散しないで透過する。
【００２６】
図４及び図５は、第１実施形態の反射層１３の曲面について説明する図である。
図４（ａ）は、図２に示すスクリーン１０の断面の一部をさらに拡大したものであり、図４（ｂ）は、スクリーン１０の画面左右方向（Ｘ方向）及び画面上下方向（Ｙ方向）に平行な断面の一部を拡大したものである。図５では、スクリーン内の反射層１３を模式的に示している。なお、図４及び図５では、理解を容易にするために、スクリーン１０内の反射層１３のみを示している。
【００２７】
図４に示すように、反射層１３の両面（第１光学形状層１２側の面及び第２光学形状層１４側の面）は、周期性を有するなめらかな凹凸を有する曲面である。この凹凸は、反射層１３の延在方向（長手方向、単位光学形状１２１の長手方向に等しい）と、反射層１３の幅方向（延在方向に交差する方向）との２方向において、周期的に複数配列されて形成されている。本実施形態では、反射層１３の長手方向は、画面左右方向（Ｘ方向）であり、反射層１３の幅方向は、点ｔと点ｖ２とを含みＹＺ平面に垂直な面である平面Ｈに平行な方向である。
【００２８】
反射層１３の幅方向における周期的な凹凸及び延在方向における周期的な凹凸は、その凹凸の方向（山谷の方向）が前述の平面Ｈに直交する方向である。
また、反射層１３は、図４（ａ）に示すように、その配列方向（Ｙ方向）及びスクリーン１０の厚み方向（Ｚ方向）に平行な断面おいて、凹凸の極大となる点ｋ１と極小となる点ｋ２が少なくとも１つずつ存在している。また、反射層１３は、図４（ａ）に示すように、極小となる点ｋ２の方が、入光側（−Ｚ側）となるように形成されている。
【００２９】
反射層１３の幅方向（図４に示す平面Ｈ方向）において、凹凸の極大となる点ｋ１と極小となる点ｋ２との間の寸法をＤ１とし、反射層１３の長手方向（単位光学形状１２１の長手方向）における極大となる点ｋ３と極小となる点ｋ４の間の寸法をＤ２とする。この寸法Ｄ１，Ｄ２は、各方向における凹凸の周期の１／２に相当する。この寸法Ｄ１，Ｄ２は、Ｄ２＞Ｄ１であり、寸法Ｄ２は、寸法Ｄ１の２〜３倍程度である。
本実施形態では、寸法Ｄ１は、数十μｍであり、寸法Ｄ２は、数十μｍから数百μｍ程度である。
【００３０】
また、反射層１３の幅方向及び長手方向において、凹凸の高さ（凹凸の高さ方向における極大点と極小点との間の寸法）は、数μｍ〜数十μｍである。
また、各反射層１３において、映像光を効率よく出光側に向ける観点から、その幅方向においては入光側（−Ｚ側）に極小となる点ｋ２が位置することが好ましい。
【００３１】
また、図４（ａ）に示すように、反射層１３の幅方向において、反射層１３の接線（特に、反射層１３の第２光学形状層１４側の面の接線）が、スクリーン面の法線方向となす角度をαとする。この時、角度αは、０°以上３０°以下とすることが、映像光を反射層１３で反射させて、出光側の正面方向に位置する観察者Ｏ１へ向ける観点から好ましい。
角度αがこの範囲外となると、スクリーン１０に入射した映像光が反射層１３に入射しなくなったり、映像光が反射層１３で反射しても出光側の正面方向に位置する観察者Ｏ１に届かない方向へ向かったりする等の問題がある。したがって、角度αは、上記範囲内が好ましい。
【００３２】
なお、スクリーン１０内には、複数の反射層１３が設けられているが、反射層１３の凹凸の周期や凹凸の高さ（深さ）は、全ての反射層１３において等しくてもよいし、異なっていてもよい。また、例えば、隣り合う反射層１３において凹凸の周期の位相が異なっていてもよいし、一致していてもよいし、反射層１３の配列方向に沿って次第に又は段階的に凹凸の位相が異なってもよい。
【００３３】
反射層１３は、アルミニウム、銀、ニッケル等の光反射性の高い金属を蒸着したり、光反射性の高い金属をスパッタリングしたりして形成される。また、反射層１３は、高い透明性を有し、光の吸収損失が小さく、高い反射率を実現できる誘電体多層膜により形成してもよい。
本実施形態の反射層１３は、第２の面１２１ｂ上に、アルミニウムを蒸着することにより形成されている。
【００３４】
第２光学形状層１４は、第１光学形状層１２及び反射層１３の出光側（＋Ｚ側）に設けられた光透過性を有する層である。
第２光学形状層１４は、単位光学形状１２１による凹凸の谷部を埋めるように形成されており、第１光学形状層１２及び反射層１３の出光側（＋Ｚ側）の面を平坦としている。したがって、第２光学形状層１４の入光側（−Ｚ側）の面は、単位光学形状１２１の略逆型の形状が複数配列されて形成されている。
このような第２光学形状層１４を設けることにより、反射層１３を保護できる。また、第２光学形状層１４を設けることにより、さらに出光側に保護層１５等を積層しやすくなり、また、支持板等への接合も容易となる。
【００３５】
第２光学形状層１４の屈折率は、第１光学形状層１２の屈折率と等しい、又は、略等しい（等しいとみなせる程度に屈折率差が小さい）ことが望ましい。また、第２光学形状層１４は、第１光学形状層１２と同じ紫外線硬化型樹脂を用いて形成することが好ましいが、異なる材料により形成してもよい。
本実施形態の第２光学形状層１４は、第１光学形状層１２と同じ材料（紫外線硬化型樹脂）により形成され、その屈折率が第１光学形状層１２の屈折率に等しい。
【００３６】
保護層１５は、第２光学形状層１４の出光側（＋Ｚ側）に形成された光透過性を有する層であり、このスクリーン１０の出光側を保護する機能を有している。
保護層１５は、光透過性の高い樹脂製のシート状の部材により形成される。保護層１５は、例えば、基材層１１と同様の材料により形成されたシート状の部材を用いてもよい。
上述のように、本実施形態のスクリーン１０は、光を拡散する作用を有する粒子等の拡散材を含有した光拡散層を備えておらず、スクリーン１０に入射した映像光は、反射層１３の周期性を有する凹凸を有する曲面での反射によって拡散される。
【００３７】
本実施形態のスクリーン１０は、例えば、以下のような製造方法により製造される。
基材層１１を用意し、その一方の面に、単位光学形状１２１を賦形する成形型に紫外線硬化型樹脂を充填した状態で積層し、紫外線を照射して樹脂を硬化させるＵＶ成形法により第１光学形状層１２を形成する。
このとき、単位光学形状１２１を賦形する成形型の第２の面１２１ｂを賦形する面は、前述の平面Ｈに相当する方向及び画面左右方向に相当する２方向において周期性を有する凹凸を有する曲面となっている。この凹凸は、単位光学形状１２１を賦形する成形型をバイト等で切削して作製する際に、バイトを波状に動かす、うねりを有するバイト等で切削する等により形成される。なお、この曲面の形成方向は、上記に限らず、適宜選択して適用してよい。
【００３８】
第１光学形状層１２を、基材層１１の一方の面に形成した後、第２の面１２１ｂに、アルミニウムを蒸着して反射層１３を形成する。
その後、反射層１３の上から、単位光学形状１２１間の谷部を充填して平面状となるように、紫外線硬化型樹脂を塗布し、保護層１５を積層して紫外線硬化型樹脂を硬化させ、第２光学形状層１４及び保護層１５を一体に形成する。その後、所定の大きさに裁断する等により、スクリーン１０が完成する。
基材層１１及び保護層１５は、枚葉状としてもよいし、ウェブ状としてもよい。
本実施形態では、単位光学形状１２１の第２の面１２１ｂの曲面形状を成形型によって賦形することにより、多数のスクリーン１０を製造する場合にも、品質のばらつきが少なく、安定して製造できる。
【００３９】
ここで、本実施形態の単位光学形状１２１に入射した映像光の様子について説明する。
図３に示すように、映像源ＬＳから投射されて入光側（−Ｚ側）からスクリーン１０に入射した映像光の一部（映像光Ｌａ）は、第１の面１２１ａの入光側端部（点ｖ１側端部）の領域Ｂを透過して、反射層１３に入射し、反射され、スクリーン１０の出光側（＋Ｚ側）の正面方向に位置する観察者Ｏ１（図１参照）が映像を視認可能な方向に出射する。このとき、反射層１３が前述のような周期性を有する凹凸からなる曲面を有するので、反射した光は、図５に示すように、画面上下方向及び画面左右方向に適宜拡散される。
また、スクリーン１０に入射した映像光Ｌａの一部は、第１の面１２１ａを透過するが、スクリーン１０の出光側上方へ出射するので（例えば、映像光Ｌｂ）、観察者Ｏ１には届ない。
【００４０】
また、出光側（＋Ｚ側）上方からスクリーン１０に入射する太陽光や照明光等の外光Ｇａや入光側（−Ｚ側）上方から入射する外光Ｇｃは、いずれも、第１の面１２１ａを透過してスクリーン１０の入光側や出光側の下方へ出射する。また、一部の外光Ｇｂ，Ｇｄは、反射層１３で反射してスクリーン１０の上方へ出射したり、スクリーン１０と空気との界面で全反射を繰り返す等して、スクリーン１０内で次第に減衰したりする。したがって、出光側の正面方向に位置する観察者Ｏ１にこれらの外光が届くことはなく、外光による映像のコントラスト低下を抑制できる。
【００４１】
図６は、第１実施形態のスクリーン１０での映像光及び外光の様子を示す図である。図６では、図２と同様に、画面中央となる点Ａを通り、単位光学形状１２１の配列方向（Ｙ方向）及び厚み方向（Ｚ方向）に平行なスクリーン１０の断面の一部を拡大して示している。図６では、理解を容易にするために、スクリーン１０内の基材層１１と第１光学形状層１２との界面や第２光学形状層１４と保護層１５との界面には、屈折率差がないものとして示している。
スクリーン１０の下方に位置する映像源ＬＳから投射され、スクリーン１０に入光側（−Ｚ側）から入射する映像光Ｌ１のうち、一部の映像光Ｌ２は、スクリーン１０の入光面１０ａで反射して上方へ向かう。この映像光Ｌ２は、スクリーン１０の入光側（映像源側）の正面方向に位置する観察者Ｏ２には届かない。
【００４２】
また、スクリーン１０に入射した映像光Ｌ１のうち、一部の映像光Ｌ３は、単位光学形状１２１の第１の面１２１ａの点ｖ１側（画面上下方向上側）の領域Ｂを透過し、反射層１３へ入射して反射し、スクリーン１０の出光側（＋Ｚ側）の正面方向に位置する観察者Ｏ１側へ向けて出射する。この映像光Ｌ３は、反射層１３の凹凸により、画面上下方向及び画面左右方向に拡散され、スクリーン１０の出光側の正面方向に位置する観察者Ｏ１に、良好な視野角を有する映像を表示できる。
なお、一部の映像光Ｌ４は、反射層１３を透過するが、その光量は小さく、また、スクリーン１０の出光側上方へ出射するので、出光側や入光側の正面方向に位置している観察者Ｏ１，Ｏ２が、この映像光Ｌ４を視認することはない。
【００４３】
次に、入光側（−Ｚ側）又は出光側（＋Ｚ側）の上方からスクリーン１０に入射する映像光以外の太陽光や照明光等の外界からの光（以下、外光という）について説明する。
図６に示すように、スクリーン１０に入射する外光Ｇ１，Ｇ４のうち、一部の外光Ｇ２，Ｇ５は、スクリーン１０の出光面１０ｂ、入光面１０ａで反射して、それぞれスクリーン１０の下方へ向かい、いずれも観察者Ｏ１，Ｏ２には届かない。
また、外光Ｇ１のうち、スクリーン１０に入射した一部の外光Ｇ３は、第１の面１２１ａを透過して、スクリーン１０の入光側下方へ向かい、スクリーン１０の入光側下方へ出射したり、スクリーン１０の入光面１０ａで反射してスクリーン１０内部下方へ進み、次第に減衰したりする。
【００４４】
また、外光Ｇ４のうち、スクリーン１０に入射した外光Ｇ６は、第１の面１２１ａを透過して、スクリーン１０の出光側下方へ向かい、スクリーン１０の出光側下方へ出射したり、スクリーン１０の出光面１０ｂで反射してスクリーン１０内部下方へ進み、次第に減衰したりする。
また、前述の図３に示す外光Ｇｃ，Ｇｄのように、一部の外光は、スクリーン１０に入射して反射層１３で反射して、スクリーン１０の入光側上方等へ出射したり、スクリーン１０内部上方へ進み、スクリーン１０と空気との界面で反射（全反射を含む）を繰り返す等して、次第に減衰したりする。
上述のように、スクリーン１０に上方から入射する外光は、いずれも観察者Ｏ１，Ｏ２には到達しないので、外光による映像のコントラスト低下を抑制できる。
【００４５】
また、スクリーン１０は、光を拡散する拡散粒子等を含有する光拡散層を備えていないので、スクリーン面に小さい入射角度で入射してこのスクリーン１０を透過する外光Ｇ７，Ｇ８は、拡散されない。したがって、入光側（−Ｚ側）及び出光側（＋Ｚ側）から、観察者Ｏ２，Ｏ１が、スクリーン１０を通してスクリーン１０の向こう側の景色を観察した場合に、スクリーン１０の向こう側の景色がぼやけたり、白くにじんだりすることなく、高い透明性を有して観察することができる。
【００４６】
従来の透過型スクリーンでは、映像源側が透けて見えないようにスクリーンの透明性が非常に低く設計されており、スクリーンの向こう側の景色を見ることができない。また、従来の透過型スクリーンは、十分な視野角を有する映像を提供するために、光を拡散する拡散粒子等を含有する光拡散層等を備えている場合が多く、他の層の透明性を向上させたとしても、光拡散層の拡散粒子によって外光も拡散されるため、スクリーンの向こう側の景色がぼやけたり、白くにじんだりして観察されたりするという問題がある。
【００４７】
しかし、本実施形態のスクリーン１０は、拡散粒子等を含有する光拡散層を備えておらず、反射層１３の両面が周期性を有する凹凸を有する曲面であり、映像光は、反射層１３で反射する際に凹凸によって拡散される。また、本実施形態のスクリーン１０では、反射層１３を透過する光は拡散されない。
したがって、本実施形態によれば、スクリーン１０は、良好な視野角及び明るさや解像度を有する映像を出光側（＋Ｚ側）の観察者Ｏ１に表示でき、かつ、映像光を投射しない状態等において、外光の多い環境下であっても、スクリーン１０の向こう側（−Ｚ側）の景色が白くにじんだり、ぼけたりすることがなく観察者Ｏ１に良好に視認され、高い透明性を実現できる。
【００４８】
また、本実施形態によれば、反射層１３を透過する光は拡散されず、スクリーン１０は、高い透明性を有しているので、映像光を投射しない状態等において、スクリーン１０の入光側（−Ｚ側）にいる観察者Ｏ２にもスクリーン１０の向こう側（＋Ｚ側）の景色が良好に視認される。さらに、スクリーン１０に映像光が投射された状態においても、観察者Ｏ１，Ｏ２が、スクリーン１０の向こう側（入光側、出光側）の景色を一部視認することが可能である。
【００４９】
また、本実施形態によれば、反射層１３の曲面の周期性を有する凹凸の周期や凹凸の高さ（深さ）等を調整することにより、スクリーン１０の画面左右方向及び画面上下方向の光の拡散度合を調整することができる。これにより、スクリーン１０は、画面左右方向及び画面上下方向での視野角制御を容易に行うことができる。
また、本実施形態によれば、例えば、光を拡散する粒子を含有する光拡散層や、微細な凹凸形状を有するマット面等に比べて、視野角の制御が容易である。
【００５０】
（第２実施形態）
図７は、第２実施形態のスクリーン２０を説明する図である。図７（ａ）は、画面中央となる点を通り画面上下方向及び厚み方向に平行なスクリーン２０の断面の一部を拡大して示している。図７（ａ）に示すスクリーン２０の断面は、前述の図２に示すスクリーン１０の断面に相当する。図７（ｂ）は、スクリーン２０の第１光学形状層２２を出光側（＋Ｚ側）から見た様子を示している。図７（ｂ）では、理解を容易にするために、反射層２３や第２光学形状層２４、保護層１５を省略して示している。
第２実施形態のスクリーン２０は、前述の第１実施形態のスクリーン２０と略同様の形態であるが、第１光学形状層２２が、出光側（＋Ｚ側）の面にサーキュラーフレネルレンズ形状を有している点が異なる。
したがって、前述した第１実施形態と同様の機能を果たす部分には、同一の符号又は末尾に同一の符号を付して、重複する説明を適宜省略する。
【００５１】
第２実施形態のスクリーン２０は、入光側（−Ｚ側）から順に、基材層１１、第１光学形状層２２、反射層２３、第２光学形状層２４、保護層１５を備えている。この第２実施形態のスクリーン２０は、第１実施形態に示す映像表示装置１に適用可能である。
第１光学形状層２２は、出光側の面に、単位光学形状２２１が同心円状に配列されたサーキュラーフレネルレンズ形状を有している。
また、第２光学形状層２４は、第１光学形状層２２及び反射層２３の出光側（＋Ｚ側）に設けられた光透過性を有する層であり、入光側（−Ｚ側）の面に、単位光学形状２２１の略逆型の形状が複数配列されて形成されている。
【００５２】
単位光学形状２２１は、図７（ｂ）に示すように、正面方向（Ｚ方向）から見て真円の一部形状（円弧状）であり、スクリーン２０の画面（表示領域）外に位置する点Ｃを中心として、同心円状に複数配列されている。即ち、第１光学形状層２２は、点Ｃを中心（フレネルセンター）とする、所謂オフセット構造のサーキュラーフレネルレンズ形状を有している。
単位光学形状２２１は、第１の面２２１ａと第２の面２２１ｂとを有し、厚み方向及び配列方向に平行な断面形状が、出光側（＋Ｚ側）に凸となる略三角形形状である。
本実施形態では、点Ｃは、図７（ｂ）に示すように、スクリーン２０の画面左右方向（Ｘ方向）の中央であって画面外下方に位置している。また、点Ｃと点Ａとは、スクリーン１０を正面方向から見た場合、図３に示すように、画面上下方向（Ｙ方向）に平行な同一直線上に位置している。
【００５３】
第２の面２２１ｂは、前述の第１実施形態の第２の面１２１ｂと同様に、周期性を有する凹凸からなる曲面となっている。
反射層２３は、第２の面２２１ｂ上に、アルミニウムを蒸着することにより形成されている。
反射層２３は、第２の面２２１ｂの曲面に追従して形成され、その曲面を維持した状態で成膜されている。反射層２３は、その第１光学形状層２２側の面及び第２光学形状層２４側の面が、図７に示す断面において、前述の第１実施形態と同様に、反射層２３の幅方向（点ｔと点ｖ２を結ぶ直線Ｓの方向）と延在方向（第２の面２２１ｂの延在方向）との２方向に周期性を有するなめらかな凹凸を有する曲面となっている。
【００５４】
第１実施形態と同様に、反射層２３の延在方向における凹凸の周期は、反射層２３の幅方向における凹凸の周期よりも大きく、幅方向における凹凸の周期の２〜３倍程度である。また、第１実施形態と同様に、図７に示す断面において、反射層２３の接線が、スクリーン面の法線方向となす角度αは、０°以上３０°以下である。
【００５５】
本実施形態によれば、前述の第１実施形態と同様に、透明性が高く良好な映像を表示できるスクリーン２０及び映像表示装置１とすることができる。また、本実施形態によれば、第１実施形態と同様に、反射層１３の曲面形状を制御することにより、スクリーン２０の視野角を所望の大きさに制御することができる。
また、本実施形態によれば、第１光学形状層２２は、フレネルセンターとなる点Ｃが、スクリーン１０の表示領域外であって画面上下方向下側に位置しており、所謂オフセット構造のサーキュラーフレネルレンズ形状を有している。したがって、スクリーン１０の表示領域外であって画面上下方向下側に位置する短焦点型の映像源ＬＳから投射された入射角度の大きい映像光であっても、画面左右方向の映像が暗くなることがなく、明るさの面均一性の高い良好な映像を表示することができる。
【００５６】
（第３実施形態）
図８は、第３実施形態のスクリーン３０の層構成を示す図である。図８では、画面中央となる点Ａを通り画面上下方向（単位光学形状３２１の配列方向）及び厚み方向に平行なスクリーン３０の断面の一部を拡大して示している。図８に示すスクリーン３０の断面は、図２に示す第１実施形態のスクリーン１０の断面に相当する。
第３実施形態のスクリーン３０は、第１実施形態のスクリーン１０と略同様の形態であるが、反射層３３が、高い透明性を有する樹脂により形成されており、その屈折率が第１光学形状層３２及び第２光学形状層３４よりも屈折率が低い点が異なる。したがって、前述した第１実施形態と同様の機能を果たす部分には、同一の符号又は末尾に同一の符号を付して、重複する説明を適宜省略する。
第３実施形態のスクリーン３０は、入光側（−Ｚ側）から順に、基材層１１、第１光学形状層３２、反射層３３、第２光学形状層３４、保護層１５を備えている。
第３実施形態のスクリーン３０は、第１実施形態の映像表示装置１に適用可能である。
【００５７】
第１光学形状層３２は、出光側（＋Ｚ側）の面に単位光学形状３２１が複数配列されたリニアフレネルレンズ形状を有している。単位光学形状３２１は、第１の面３２１ａ及び第２の面３２１ｂを有し、出光側に凸となる三角柱形状であり、その長手方向を画面左右方向とし、画面上下方向に複数配列されている。
この第１光学形状層３２のリニアフレネルレンズ形状は、第１実施形態の第１光学形状層１２のリニアフレネルレンズ形状と同様である。また、第２の面３２１ｂは、第１実施形態の第２の面１２１ｂと同様に、周期性を有するなめらかな凹凸を有する曲面である。
【００５８】
第１光学形状層３２は、光透過性が高く、一般的な紫外線硬化型樹脂よりも屈折率の高い紫外線硬化型樹脂が用いられている。例えば、第１光学形状層３２は、エポキシアクリレート系の紫外線硬化型樹脂や、金属酸化物が添加されて高屈折率化されたウレタン系等の紫外線硬化型樹脂により形成されている。また、第１光学形状層３２は、酸化チタン（ＴｉＯ２）が添加されて高屈折率化された紫外線硬化型樹脂を用いてもよい。
この第１光学形状層３２の屈折率は、約１．５６〜１．７程度のものが好ましい。
【００５９】
反射層３３は、光透過性を有し、隣接する第１光学形状層３２及び第２光学形状層３４よりも屈折率が低い層である。本実施形態の反射層３３は、第２の面３２１ｂに形成されており、その両面が反射層３３の幅方向と反射層３３の延在方向とに周期性を有するなめらかな凹凸を有する曲面となっている。
反射層３３に臨界角以上の入射角で入射する光は、凹凸形状により、全反射する際に拡散され、反射層３３に臨界角未満の入射角で入射する光は、少なくとも一部が拡散されないで透過する。
本実施形態では、反射層３３と隣接する第２光学形状層３４との界面Ｋは、映像光の少なくとも一部（臨界角以上の角度で入射する映像光）を全反射する全反射面となり、この界面Ｋも曲面となっている。
【００６０】
反射層３３の両面の周期性を有する凹凸からなる曲面は、第１実施形態と同様に、反射層３３の幅方向（図８において、点ｔと点ｖ２とを通りＹＺ面に垂直な平面Ｈに平行な方向）の凹凸の周期に比べて、反射層３３の長手方向（スクリーン３０の画面左右方向、Ｘ方向）の凹凸の周期が大きく、幅方向の凹凸の周期の２〜３倍程度である。
また、図８に示す断面において、反射層３３の接線がスクリーン３０の法線方向となす角度αは、第１実施形態と同様に、０°以上３０°以下である。
【００６１】
反射層３３は、光透過性が高く、隣接する第１光学形状層３２及び第２光学形状層３４よりも屈折率の低い材料により形成されている。反射層３３は、例えば、フッ化マグネシウム（ＭｇＦ２）やフッ化アルミニウム（ＡｌＦ３）等の金属フッ化物、酸化ケイ素（ＳｉＯ２）、シリコン系樹脂が好適である。
反射層３３は、上述の材料を蒸着したり、スパッタリングしたりすることにより、形成される。また、反射層３３は、前述の金属フッ化物等の箔を転写したり、前述の金属フッ化物等の薄膜を含有した塗料を塗布したりして形成してもよい。
【００６２】
反射層３３の屈折率は、約１．３５〜１．４５であることが、第２光学形状層３４との界面Ｋで映像光を効率よく全反射させる観点から好ましい。
また、反射層３３の厚さは、０．３μｍ以上１０μｍ以下であることが好ましく、１μｍ以上１０μｍ以下であることがより好ましい。
反射層３３の厚さが０．３μｍ以下であると、界面Ｋでの映像光の全反射が不十分となったり、映像光が全反射する際に干渉が生じて映像が劣化したりするため、好ましくない。また、界面Ｋで映像光を十分に全反射させ、かつ、映像光が全反射する際に生じ得る干渉を抑制するという効果を高める観点から、反射層３３の厚さは１μｍ以上であることがより好ましい。
また、反射層３３の厚さが１０μｍよりも大きくなると、蒸着等による反射層３３の形成が困難となったり、第２の面３２１ｂの曲面の凹凸形状を埋めて平坦化し、反射層３３の第２光学形状層３４側の界面Ｋが平面状となってしまったりするため、好ましくない。
【００６３】
第２光学形状層３４は、第１光学形状層３２及び反射層３３の出光側（＋Ｚ側）に設けられた光透過性を有する層である。第２光学形状層３４は、反射層３３よりも屈折率が高い。第２光学形状層３４と反射層３３との界面Ｋは、入射する映像光の少なくとも一部（界面Ｋに臨界角以上の角度で入射する映像光）を全反射させて、出光側（＋Ｚ側）の観察者Ｏ１側へ向ける機能を有する。
第２光学形状層３４は、第１光学形状層３２及び反射層３３の出光側から単位光学形状３２１による凹凸の谷部を埋めるように形成され、第１光学形状層３２の出光側（観察者側）の面を平坦にしている。第２光学形状層３４の入光側（−Ｚ側）の面は、第１光学形状層３２の単位光学形状３２１の略逆型の形状が複数配列されて形成されている。
【００６４】
第２光学形状層３４は、光透過性が高く、一般的な紫外線硬化型樹脂よりも屈折率の高い紫外線硬化型樹脂、例えば、前述の第１光学形状層１２と同様の材料である、エポキシアクリレート系の紫外線硬化型樹脂、金属酸化物が添加されて高屈折率化されたウレタン系等の紫外線硬化型樹脂、酸化チタン（ＴｉＯ２）が添加されて高屈折率化された紫外線硬化型樹脂等を用いて形成されている。
第２光学形状層３４の屈折率は、約１．５６〜１．７であることが、反射層３３との界面Ｋで映像光を効率よく全反射させる観点から好ましい。また、第２光学形状層３４の屈折率は、第１光学形状層３２の屈折率と等しい、又は、略等しい（等しいとみなせる程度に屈折率差が小さい）ことが望ましい。
【００６５】
本実施形態では、第２光学形状層３４は、第１光学形状層３２と同一の樹脂によって形成されている。なお、これに限らず、第２光学形状層３４と第１光学形状層３２とは、異なる樹脂により形成されていてもよい。
また、本実施形態では、第２光学形状層３４は、紫外線硬化型樹脂により形成される例を挙げて説明するが、これに限らず、例えば、電子線硬化型樹脂等の他の電離放射線硬化型樹脂により形成してもよい。
【００６６】
本実施形態によれば、前述の第１実施形態と同様に、透明性が高く良好な映像を表示できるスクリーン３０及び映像表示装置１とすることができる。また、本実施形態によれば、第１実施形態と同様に、反射層３３の曲面形状を制御することにより、スクリーン３０の視野角を所望の大きさに制御することができる。
また、本実施形態によれば、界面Ｋで映像光を全反射させて出光側（＋Ｚ側）へ向けるので、通常の金属薄膜等による反射層で反射させる場合に比べて、映像光の反射時の光量損失が小さく、より明るい映像を表示することができる。
また、本実施形態によれば、反射層３３は、高い透明性を有する樹脂により形成されるので、通常の金属薄膜等によって反射層を形成する場合に比べて、スクリーン３０の透明性をさらに向上させることができる。
【００６７】
（変形形態）
以上説明した各実施形態に限定されることなく、種々の変形や変更が可能であって、それらも本発明の範囲内である。
（１）各実施形態において、スクリーン１０，２０，３０の出光側（＋Ｚ側）や入光側（−Ｚ側）の面に、傷つき防止を目的としたハードコート層を設けてもよい。ハードコート層は、例えば、スクリーンの出光側の面に、ハードコート機能を有する紫外線硬化型樹脂（例えば、ウレタンアクリレート等）を塗布して形成する等により、形成することができる。
また、ハードコート層に限らず、スクリーン１０，２０，３０の使用環境や使用目的等に応じて、出光側や入光側の面に、例えば、反射防止機能、紫外線吸収機能、防汚機能、帯電防止機能等、適宜必要な機能を有する層を１つ又は複数選択して設けてもよい。さらに、スクリーン１０，２０，３０の出光側（＋Ｚ側）にタッチパネル層等を設けてもよい。
【００６８】
例えば、スクリーン１０，２０，３０の入光側の表面に反射防止層を設けることにより、映像光のスクリーン入射時の反射を抑制し、入射光量を増大させることができる。また、スクリーン１０，２０，３０の出光側の表面に反射防止層を設けた場合には、映像光の一部が、スクリーンの出光側表面で反射して入光側から出射する等により、入光側の観察者Ｏ２に映像が一部漏れて見えてしまうこと等も防止できる。
【００６９】
（２）各実施形態において、スクリーン１０，２０，３０は、第１光学形状層１２，２２，３２や第２光学形状層１４，２４，３４が十分な厚みや剛性等を有している場合には、基材層１１及び保護層１５の少なくとも一方を備えない形態としてもよい。
また、スクリーン１０，２０，３０は、基材層１１及び保護層１５の少なくとも一方をスクリーンの平面性を維持できる程の十分な剛性を有する板状の部材としてもよい。この場合、スクリーンの平面性を維持するために接合する支持板等を省略できる。
【００７０】
（３）各実施形態において、映像源ＬＳは、例えば、スクリーン１０，２０，３０の斜め下側等に配置される形態としてもよい。
このとき、第１実施形態及び第３実施形態では、スクリーン１０，３０は、単位光学形状１２１，３２１の配列方向及び長手方向を、映像源ＬＳの位置に合わせて傾けた形態とする。また、第２実施形態では、スクリーン２０は、映像源ＬＳの位置に合わせてフレネルセンターとなる点Ｃの位置をずらして単位光学形状２２１を配列した形態とする。このような形態とすれば、映像源ＬＳの位置等の自由度が向上する。
また、各実施形態において、スクリーン上方からの外光の影響が小さい環境下で使用される場合等には、例えば、映像源ＬＳは、スクリーン面の法線方向から見たとき、スクリーン１０，２０，３０の画面左右方向の中央であって画面外上方に位置する形態としてもよい。このとき、スクリーン１０，２０，３０は、各実施形態に示した形態とはその画面上下方向を反転させた形態となる。
【００７１】
（４）各実施形態において、単位光学形状１２１，２２１，３２１の第１の面、第２の面は、折れ面状としてもよい。また、単位光学形状１２１，２２１，３２１は、３つ以上の複数の面によって形成される多角形形状としてもよい。
また、反射層１３，２３，３３は、第２の面１２１ｂ，２２１ｂ，３２１ｂに加え、第１の面１２１ａ，２２１ａ，３２１ａの少なくとも一部にも形成される形態としてもよい。特に、第３実施形態の反射層３３は、第１の面３２１ａ及び第２の面３２１ｂ上に形成される形態としてもよい。
また、単位光学形状１２１，２２１，３２１は、第１の面も第２の面と同様な周期性を有する凹凸形状を有する曲面により形成される形態としてもよい。
【００７２】
（５）各実施形態において、スクリーン１０，２０，３０は、画面（表示領域）が矩形形状である例を示したが、これに限らず、例えば、正方形や平行四辺形等の他の四角形形状や多角形形状、円形、長円形、楕円形等としてもよい。
【００７３】
（６）各実施形態において、反射層１３，２３，３３よりも出光側（＋Ｚ側）に、光を透過するが、黒や灰色等の暗色系の着色材等で着色され、光吸収性を有する光吸収層を備える形態とし、映像の黒輝度の低減や映像源側からの外光吸収を図り、映像のコントラスト向上を図ってもよい。
また、各実施形態において、反射層１３，２３，３３よりも入光側（−Ｚ側）に、上述のような光吸収層を設けて、背面側から入射する外光を吸収し、映像のコントラスト向上を図ってもよい。
なお、上述の光吸収層は、着色材を含有せず、透明な層であって光吸収作用を有する層としてもよい。
【００７４】
（７）各実施形態において、映像源ＬＳは、例えば、Ｐ波の偏光成分を有する映像光を投射するものとしてもよい。
映像源ＬＳは、映像光が入射角φで各スクリーン部へ投射されるように位置及び角度が設定されている。この入射角φは、各スクリーン部へ投射された映像光（Ｐ波）の反射率がゼロとなる入射角（ブリュースター角）をφｂ（°）とした場合、（φｂ−１０）°以上８５°以下の範囲に設定される。例えば、各スクリーン部へ投射された映像光の反射率がゼロとなる入射角φｂが６０°である場合、映像光の入射角φは、５０〜８５°の範囲に設定される。
【００７５】
このように、Ｐ波の偏光成分を有する映像光を投射する映像源を用いることにより、各スクリーン部への入射角φが大きい場合にも、スクリーン１０，２０，３０の表面における鏡面反射を抑制することができ、映像源の設置位置等、投射系の設計の自由度を上げることができる。また、このような映像源を用いることにより、各スクリーン部又は透明層に入射する際に入射面での映像光の反射を低減でき、映像の明るさ、鮮明さの向上を図ることができる。
なお、角度φｂ（ブリュースター角）は、映像光が投射される各スクリーン部の表面又は透明層の材質により異なる。
また、このような形態の場合、スクリーンの入光側表面を構成する基材層としては、例えば、ＴＡＣ製のシート状の部材が好適である。
【００７６】
なお、本実施形態及び変形形態は、適宜組み合わせて用いることもできるが、詳細な説明は省略する。また、本発明は以上説明した各実施形態によって限定されることはない。
【符号の説明】
【００７７】
１    映像表示装置
１０，２０，３０    スクリーン
１１    基材層
１２，２２，３２    第１光学形状層
１２１，２２１，３２１    単位光学形状
１２１ａ，２２１ａ，３２１ａ    第１の面
１２１ｂ，２２１ｂ，３２１ｂ    第２の面
１３，２３，３３    反射層
１４，２４，３４    第２光学形状層
１５    保護層
ＬＳ    映像源
【図１】
2018132546.tif 000003
【図２】
2018132546.tif 000004
【図３】
2018132546.tif 000005
【図４】
2018132546.tif 000006
【図５】
2018132546.tif 000007
【図６】
2018132546.tif 000008
【図７】
2018132546.tif 000009
【図８】
2018132546.tif 000010